(57)【要約】ユーザ端末（２００）を操作するユーザに対して、メディア・オブジェクトの購入を可能にする方法及び装置。メディア・オブジェクトはメディア・プロバイダ（２０４）により所有され、メディア送信側により制御されるメディア・センダ（２０２）によりユーザに対して提示される。ユーザ端末は、メディア・オブジェクトを識別するメディアＩＤ及びメディア・センダを識別するセンダＩＤをメディア・センダから取得する（２：２）。ユーザから入力コマンドを受信した場合（２：３）、端末はメディアＩＤ及びセンダＩＤを参照する購入リクエストを作成する（２：４）。購入リクエストは、ユーザのホームネットワークオペレータ（２０６）、メディア・プロバイダ又は別個の購入ハンドラに送信されてもよい。その後、メディア・プロバイダはユーザにメディア・オブジェクトを配信し（２：７）、ユーザはメディアの購入に対して課金され（２：１０）、メディア・プロバイダは購入に対する支払いを受信し、メディア送信側はユーザによるメディア・オブジェクトの購入に対する報酬を受信する（２：９）。
2012531660.tif 000002
【特許請求の範囲】
【請求項１】
ユーザ端末（２００、５００、７００、９００）を操作するユーザに対して、メディア・プロバイダ（２０４、５０６、７０４、９０４）により所有されるメディア・オブジェクトの購入を可能にする方法であって、
−メディア送信側により制御されるメディア・センダ（２０２、５０２、７０２、９０２）により、前記ユーザに対して前記メディア・オブジェクト又は該メディア・オブジェクトを示す表示を提示するステップと、
−前記メディア・オブジェクトを識別するメディアＩＤ（ＭＩＤ）及び前記メディア送信側を識別するセンダＩＤ（ＳＩＤ）を前記メディア・センダから前記ユーザ端末に伝達するステップと、
−前記ユーザから購入コマンドを受信した場合に前記メディアＩＤ及び前記センダＩＤを参照する購入リクエストを前記ユーザ端末から送信するステップとを備え、
前記ユーザによる前記提示されたメディア・オブジェクトの前記購入に対する報酬を前記メディア送信側に提供するために、前記メディア送信側が前記センダＩＤに基づいて識別されることを特徴とする方法。
【請求項２】
前記メディア・プロバイダを識別するメディア・プロバイダＩＤ（ＭＰＩＤ）が前記メディア・センダから前記ユーザ端末に更に伝達されることを特徴とする請求項１に記載の方法。
【請求項３】
前記ＩＤの少なくとも１つは前記メディア・センダのＮＦＣ部（６０２ｂ）から前記ユーザ端末のＮＦＣ部（６００ｂ）に伝達されることを特徴とする請求項１又は２に記載の方法。
【請求項４】
前記メディア・オブジェクト又は前記表示は前記メディア・センダにより再生され、
前記ユーザ端末は、前記ユーザから前記購入コマンドを受信した場合に前記メディア・オブジェクトに関するメディア・クエリを前記メディア・センダに送信することにより前記ＩＤの少なくとも１つを取得することを特徴とする請求項３に記載の方法。
【請求項５】
前記メディア・オブジェクト又は前記表示は前記メディア・センダにより再生され、前記ＩＤの少なくとも１つは前記メディア・センダから前記ユーザ端末に前記メディア・オブジェクトの重畳情報として伝達されることを特徴とする請求項１又は２に記載の方法。
【請求項６】
前記メディア・オブジェクト又は前記表示は、前記メディア・センダによって、再生されるか、又は、提供、紹介、解説、開示若しくは表示されることにより前記ユーザに対して提示されることを特徴とする請求項１から３のいずれか１項に記載の方法。
【請求項７】
前記ユーザにサービスを提供するネットワークオペレータ（２０６、５０４）は、前記購入リクエストを受信し、前記ユーザに前記メディア・オブジェクトを配信するための配信リクエストを前記メディア・プロバイダに送信し、前記メディア・オブジェクトの購入に対して前記ユーザに課金し、前記メディア・オブジェクトの配信に対する支払いを前記メディア・プロバイダに提供し、前記メディア送信側に前記報酬を提供することを特徴とする請求項１から６のいずれか１項に記載の方法。
【請求項８】
前記ネットワークオペレータ（５０７）は、前記ネットワークオペレータが前記メディア・オブジェクトの前記購入に対して前記ユーザに課金し且つ前記メディア・プロバイダに支払いを提供する責任を有し、前記メディア・プロバイダが前記ユーザに前記メディア・オブジェクトを配信することについて、前記メディア・プロバイダ（５０６）と信頼関係を有することを特徴とする請求項７に記載の方法。
【請求項９】
前記ユーザは、前記メディア・オブジェクトの前記購入が許可されるかを判定するために予め定義された購入規則に関してチェックされることを特徴とする請求項１から８のいずれか１項に記載の方法。
【請求項１０】
前記予め定義された購入規則は、現在の端末ユーザのアイデンティティと、現在のユーザの場所と、以前の請求書の支払いと、ユーザのアカウントにおいて利用可能な金額と、前記メディア・オブジェクトの量と、サイズ又は価格と、メディア・オブジェクトの種類と、現在の時刻と、週又は季節と、現在利用可能なネットワーク帯域幅と、のうちの１つ以上に依存することを特徴とする請求項９に記載の方法。
【請求項１１】
前記購入規則は、異なるユーザ又は異なる端末に対して差別化され、前記端末にログオンしたユーザ又は前記端末の性能に依存することを特徴とする請求項１０に記載の方法。
【請求項１２】
前記メディア・プロバイダ又は個別の購入ハンドラ（７０６、９０６）は、前記購入リクエストを受信し、前記メディア・オブジェクトの前記購入が許可されるかを判定するために前記ユーザの信頼性をチェックし、前記メディア送信側に前記報酬を提供することを特徴とする請求項１から６のいずれか１項に記載の方法。
【請求項１３】
メディア送信側により制御され、ユーザ端末（６００、７００）を操作するユーザに対して、メディア・プロバイダ（７０４）により所有されるメディア・オブジェクトの購入を可能にするメディア・センダ（６０２、７０２）における装置であって、
−前記ユーザに対して前記メディア・オブジェクト（Ｍ）又は該メディア・オブジェクトを示す表示を提示するように構成された提示部（６０２ａ）と、
−前記メディア・オブジェクトを識別するメディアＩＤを前記ユーザ端末に伝達し且つ前記メディア送信側を識別するセンダＩＤを前記ユーザ端末に伝達するように構成された伝達手段（６０２ｂ、６０２ａ）とを備え、
前記ユーザ端末は、前記ユーザから購入コマンドを受信した場合に前記メディアＩＤ及び前記センダＩＤを参照する購入リクエストを作成できることを特徴とする装置。
【請求項１４】
ＮＦＣリンクを介して前記メディアＩＤ及び前記センダＩＤの少なくとも一方を送信するように構成されたＮＦＣ部（６０２ｂ）を更に備えることを特徴とする請求項１３に記載の装置。
【請求項１５】
前記ＮＦＣ部は、前記ユーザ端末からの前記メディア・オブジェクトに関するメディア・クエリに応じて前記メディアＩＤ及び前記センダＩＤの少なくとも一方を送信するように更に構成されることを特徴とする請求項１４に記載の装置。
【請求項１６】
前記提示部は、前記メディア・オブジェクトの少なくとも一部を再生し且つ前記メディア・オブジェクトの前記再生部分の重畳情報として前記ユーザ端末に前記メディアＩＤ及び前記センダＩＤの少なくとも一方を伝達するように更に構成されることを特徴とする請求項１３又は１４に記載の装置。
【請求項１７】
前記伝達手段は、前記ユーザ端末に前記メディア・プロバイダを識別するメディア・プロバイダＩＤを伝達するように更に構成されることを特徴とする請求項１３から１６のいずれか１項に記載の装置。
【請求項１８】
メディア・プロバイダにより所有されるメディア・オブジェクト（Ｍ）又は該メディア・オブジェクトを示す表示がメディア送信側により制御されるメディア・センダ（６０２）により前記ユーザに対して提示され、ユーザ端末（６００）を操作するユーザに対して、前記メディア・オブジェクトの購入を可能にする前記ユーザ端末における装置であって、
−前記メディア・オブジェクトを購入するための入力コマンド（ＩＣ）を前記ユーザから受信するように構成された入力部（６００ａ）と、
−前記メディア・オブジェクトを識別するメディアＩＤ及び前記メディア・センダを識別するセンダＩＤを前記メディア・センダから取得する取得手段（６００ｂ）と、
−前記入力コマンドを受信した場合に前記取得したメディアＩＤ及び前記取得したセンダＩＤを参照する購入リクエスト（Ｒ（ＩＤ：ｓ））を作成するように構成された購入リクエスタ（６００ｃ）とを備え、
前記メディア・プロバイダは前記購入リクエストに応じて前記メディアＩＤに基づいて前記メディア・オブジェクトを配信でき、報酬は前記ユーザによる前記メディア・オブジェクトの前記購入に対して前記センダＩＤに基づいて前記メディア送信側に提供されることを特徴とする装置。
【請求項１９】
前記取得手段は、ＮＦＣリンクを介して前記メディア・センダから前記メディアＩＤ及び前記センダＩＤを受信するように構成されたＮＦＣ部（６００ｂ）を備えることを特徴とする請求項１８に記載の装置。
【請求項２０】
前記メディア・オブジェクト又は前記表示は、前記メディア・センダにより再生され、
前記ＮＦＣ部は、前記メディア・オブジェクトの再生中に前記メディア・センダから前記メディアＩＤ及び前記センダＩＤを受信するように更に構成されることを特徴とする請求項１９に記載の装置。
【請求項２１】
前記ＮＦＣ部は、前記ユーザから前記入力コマンドを受信した場合に前記メディア・センダに前記メディア・オブジェクトに関するメディア・クエリを送信し且つ前記メディア・クエリに応じて前記メディアＩＤ及び前記センダＩＤを受信するように更に構成されることを特徴とする請求項１９に記載の装置。
【請求項２２】
前記メディア・オブジェクト又は前記表示は、前記メディア・センダにより再生され、前記取得手段は前記再生されたメディア・オブジェクト又は前記表示の重畳情報として前記メディアＩＤ及び前記センダＩＤを受信するように更に構成されることを特徴とする請求項１８から２０のいずれか１項に記載の装置。
【請求項２３】
前記購入リクエスタ（６００ｃ）は、前記ユーザにサービスを提供するネットワークオペレータ（２０６、５０４）、前記メディア・プロバイダ又は別個の購入ハンドラに前記購入リクエストを送信するように更に構成されることを特徴とする請求項１８から２２のいずれか１項に記載の装置。
【請求項２４】
メディア・プロバイダにより所有されるメディア・オブジェクト又は該メディア・オブジェクトを示す表示がメディア送信側により制御されるメディア・センダ（６０２）によりユーザ端末（６００）を操作するユーザに対して提示される場合に前記ユーザに対して、前記メディア・オブジェクトの購入を可能にするように構成された購入制御部（６０４）における装置であって、
−前記メディア・オブジェクトを識別するメディアＩＤ及び前記メディア送信側を識別するセンダＩＤを前記メディア・センダから取得した前記端末から前記メディアＩＤ及び前記センダＩＤを参照する購入リクエストを受信するように構成された購入マネージャ（６０４ａ）と、
−前記メディア・オブジェクトが前記ユーザに配信されるように、前記メディア・プロバイダ又は関連する別個の配信ハンドラ（６０６）に前記メディアＩＤを示す配信リクエスト（Ｄ）を送信するように構成された配信リクエスタ（６０４ｃ）とを備え、
前記購入マネージャ（６０４ａ）は、前記センダＩＤに基づいて前記メディア送信側を識別し且つ前記ユーザによる前記メディア・オブジェクトの前記購入に対する報酬を前記メディア送信側に提供するように更に構成されることを特徴とする装置。
【請求項２５】
前記購入マネージャは、前記メディア・オブジェクトの前記購入が許可されるかを判定するために予め定義された購入規則に関して前記ユーザをチェックするように更に構成されることを特徴とする請求項２４に記載の装置。
【請求項２６】
前記予め定義された購入規則は、現在の端末ユーザのアイデンティティと、現在のユーザの場所と、以前の請求書の支払いと、ユーザのアカウントにおいて利用可能な金額と、前記メディア・オブジェクトの量と、サイズ又は価格と、メディア・オブジェクトの種類と、現在の時刻と、週又は季節と、現在利用可能なネットワーク帯域幅と、のうちの１つ以上に依存することを特徴とする請求項２５に記載の装置。
【請求項２７】
前記購入規則は、異なるユーザ又は端末に対して差別化され、前記端末にログオンしたユーザ又は前記端末の性能に依存することを特徴とする請求項２６に記載の装置。
【請求項２８】
前記購入マネージャは、前記ユーザによる前記メディア・オブジェクトの前記購入に対する支払いを前記メディア・プロバイダに提供し且つ前記購入に対して前記ユーザに課金するように更に構成されることを特徴とする請求項２４から２７のいずれか１項に記載の装置。
【請求項２９】
前記購入制御部は、前記メディア・プロバイダ、前記ユーザにサービスを提供するネットワークオペレータ及び別個の購入ハンドラのいずれかに配置されるか又は制御されることを特徴とする請求項２４から２８のいずれか１項に記載の装置。
【請求項３０】
メディア・プロバイダ（２０４、７０４）により所有されるメディア・オブジェクト又は該メディア・オブジェクトを示す表示がメディア送信側により制御されるメディア・センダ（２０２、７０２）によりユーザ端末（２００、７００）を操作するユーザに対して提示される場合に、前記ユーザに対して、前記メディア・オブジェクトの購入を可能にする前記メディア・プロバイダにおける方法であって、
−前記メディア・オブジェクトを識別するメディアＩＤ及び前記メディア・センダを識別するセンダＩＤを前記メディア・センダから取得した（２：２、７：２）前記ユーザ端末から前記メディアＩＤ及び前記センダＩＤを参照する購入リクエストを受信するステップ（２：４、７：４）と、
−前記購入リクエストに応じて、前記メディアＩＤに基づいて前記ユーザに前記メディア・オブジェクトを配信するステップ（２：７、７：８）と、
−前記センダＩＤに基づいて前記メディア送信側を識別し且つ前記ユーザによる前記メディア・オブジェクトの前記購入に対する報酬を前記メディア送信側に提供するステップ（２：９、７：１０）とを含むことを特徴とする方法。
【請求項３１】
前記受信した購入リクエストは、好適な配信先住所（ＤＡ）を更に示し、
前記メディア・オブジェクトは、前記好適な配信先住所に配信されることを特徴とする請求項３０に記載の方法。
【発明の詳細な説明】
【技術分野】
【０００１】
本発明は、一般に、端末のユーザに対して提示されている例えば音楽又は映画であるメディアの購入を可能にする方法及び装置に関するものである。
【背景技術】
【０００２】
近年、音声及び映像メディアの消費者は、そのようなメディアを取得する際の習慣を変える傾向にある。このように、一般的な傾向は、ＣＤ及びＤＶＤの購入からインターネットを介するメディアのダウンロード及びストリーミングに移行している。インターネットは、インターネットストア等、並びに例えばＦａｃｅｂｏｏｋ、Ｍｙｓｐａｃｅ及びＬａｓｔｆｍである種々のソーシャルネットワーク及びコミュニティから興味のあるメディアを見つけるためにも多く使用される。１つの典型的な例は、インターネットを検索及び閲覧することにより音楽又は映画を見つけ、クレジットカードで支払うことによりコンテンツ又はメディア・プロバイダからユーザ端末に所望の音楽ファイルをダウンロードすることである。更に、「ｉＴｕｎｅｓ」として知られるソフトウェアアプリケーションが広く使用されるようになり、メディアの再生、ポッドキャストの管理、並びに「ｉＴｕｎｅｓ  Ｓｔｏｒｅ」と呼ばれるオンラインメディアストアから音楽ファイルの購入及びダウンロードを行う機能を提供する。
【０００３】
ラジオ及びＴＶ番組も、従来の方法で「旧式」のラジオ又はＴＶ受信機により放送信号を受信する代わりにインターネットを介して受信可能である。例えばラジオ局は、生放送されるインターネットラジオをストリーミングサービスとしてリアルタイムで提供できる。音声ファイルに対応するダウンロードは非常に多くのメモリ容量を必要とし、移動端末ではそのようなメモリ容量が不足する場合が多いため、このようなインターネットラジオは移動端末に対して広く使用される。
【０００４】
例えば、エンドユーザがストリーミングサービス等により受信した曲を聞いている場合、ユーザはＣＤとして又は音声ファイルをダウンロードすることによりその曲を購入したい場合がある。ユーザがその曲を全く知らない場合、その曲を購入するためにはユーザが曲を識別できる方法が存在する必要がある。当然、曲がラジオ番組において話し手により常に紹介されるとは限らず、紹介される場合であっても、ユーザがそれを聞けないか又は後まで覚えていられない場合がある。従来技術によると、ストリーミングサービスに対して、端末のディスプレイ上の提示により現在再生されているものをリスナーに通知する機構が考案されている。図１を参照して、これを簡単に説明する。
【０００５】
ストリーミングサーバ１００は、図１に示すような通常の無線放送又は固定有線接続により、１つ以上の無線局１０２から放送されたライブ無線チャネルを受信する。受信されたライブ無線チャネルはいずれも、要求された場合にストリーミング技術を用いてほぼリアルタイムでサーバからユーザ端末に送信可能である。
【０００６】
本例において、ユーザ端末１０４はストリーミングサーバ１００からメディア・ストリームを受信し、メディア・ストリームは端末１０４において再生される。従来、多くの場合において「メタデータ」又は「メタ情報」と呼ばれる送信されたメディアに関する特定の情報も別個のチャネルで同時に送信される。例えばそのようなメタデータは、通常は題名及びアーティストである現在再生中の特定の音楽に関する情報、並びに次に再生される音楽等に関する更なる情報を更に含んでもよい。
【０００７】
その後、この情報は音楽の再生中に受信端末１０４において表示可能である。それにより、ユーザは再生された音楽を識別でき、例えばインターネットを介して又はＣＤ販売店等においてメディア・プロバイダ１０６から音楽を後で購入できる。しかし、ユーザは依然として、後で購入するまで、再生されたメディアに関する表示情報を検出又は登録し且つメモを取るか又は覚えておく必要がある。インターネットを介して音楽又は映画を購入する場合、購入を実行するために、通常はクレジットカード番号、身分証明及び／又はログインパラメータ等の提出を含む手動登録手順が更に行われる必要がある。その結果、特に１曲のみを購入する場合、再生されたメディアを実際に欲しいにも関わらず、ユーザはこれらの労力を敬遠するか又は購入を単に忘れる場合があり、その結果、メディア又はコンテンツプロバイダの収入が失われる。
【０００８】
国際公開第２００８／００２２０８Ａ１号（Ｅｒｉｃｓｓｏｎ）において、ストリーミングサーバから受信されたメディアはダウンロードサーバからメディア・オブジェクトをダウンロードするために使用されるダウンロードイネーブラにより購入可能であることが開示される。
【発明の概要】
【発明が解決しようとする課題】
【０００９】
本説明において、用語「メディア・プロバイダ」は、一般に「メディア・オブジェクト」と呼ばれるコンテンツを購入するユーザに対して何らかの方法でメディアの形態のコンテンツを配信できる存在として広義に理解されるべきである。例えばコンテンツは、ＣＤ、ＤＶＤに格納されてユーザにより指定されるか又は事前に定義された配信先住所に物理的に配信されてもよく、あるいはユーザの通信機器にコンテンツをダウンロード又はストリーミングすることにより電子的に配信されてもよい。
【００１０】
インターネットを介してメディアを購入する際、安全性がメディアを購入するユーザ及びメディア・プロバイダの双方にとって解決するべき問題となる場合が多い。そのため、高信頼認証及び安全な支払いを行うための手順に関する信頼関係が両者にとって望ましい。従って、再生又は提示されているメディアを購入するためにユーザに求められる労力及び注意が最小限である更に便利で信頼性の高いメディアを購入するための機構が必要とされる。また、メディアを購入するユーザ及びメディア・プロバイダの双方に対して購入処理を容易にすること及びメディア・プロバイダが販売を全体的に増加できるようにすることが望ましい。
【００１１】
本発明の目的は、上述の問題の少なくともいくつかを解決することである。特に、メディアを安全且つ便利に購入できるようにすると共に少なくともメディア・プロバイダが収入を得られる解決策を提供することを目的とする。上記の目的及び他の目的は、主に添付の独立請求項に記載の解決策により達成される。
【００１２】
異なる態様によると、ユーザ端末を操作するユーザがメディア・オブジェクトを購入できるようにする方法及び装置が定義される。メディア・オブジェクトは、メディア・プロバイダにより所有され且つユーザがメディア・オブジェクトを受信及び体験できるようにメディア送信側により制御されるメディア・センダにより現在提示されていると仮定する。
【課題を解決するための手段】
【００１３】
１つの態様において、ユーザ端末を操作するユーザがメディア・プロバイダにより所有されるメディア・オブジェクトを購入できるようにする方法が提供される。メディア・オブジェクト又は当該メディア・オブジェクトを示す表示は、メディア送信側により制御されるメディア・センダによりユーザに対して提示される。メディア・オブジェクトを識別するメディアＩＤ及びメディア送信側を識別するセンダＩＤがメディア・センダからユーザ端末に更に伝達される。
【００１４】
メディア・オブジェクトを購入するための入力コマンドをユーザから受信した場合、ユーザ端末はメディアＩＤ及びセンダＩＤを参照する購入リクエストを送信する。この場合、ユーザによる提示されたメディア・オブジェクトの購入に対する報酬をメディア送信側に提供するために、メディア送信側がセンダＩＤに基づいて識別される。この解決策は、メディア・オブジェクトがメディア・センダにより提示される場合に入力コマンドを単に作成することによりメディア・オブジェクトを購入するための便利な機構を提供する。
【００１５】
異なる実施形態が上記の方法において可能である。一実施形態において、メディア・プロバイダを識別するメディア・プロバイダＩＤがメディア・センダからユーザ端末に更に伝達される。別の実施形態において、上記のＩＤの少なくとも１つはメディア・センダ内のＮＦＣ部からユーザ端末内のＮＦＣ部に伝達される。その場合、メディア・オブジェクト又は当該メディア・オブジェクトを示す表示はメディア・センダにより再生されてもよく、ユーザ端末は、ユーザから購入コマンドを受信した場合にメディア・オブジェクトに関するメディア・クエリをメディア・センダに送信することによりＩＤの少なくとも１つを取得してもよい。
【００１６】
更に、メディア・オブジェクト又は表示がメディア・センダにより再生される場合、上記のＩＤの少なくとも１つはメディア・センダからユーザ端末にメディア・オブジェクトの重畳情報として更に伝達されてもよい。
【００１７】
更なる実施形態において、メディア・オブジェクト又は表示は、メディア・センダにより再生されるか、あるいは提供、紹介、解説、開示又は表示されることによりユーザに対して提示される。ユーザにサービスを提供するネットワークオペレータが購入リクエストを受信する場合、オペレータはユーザにメディア・オブジェクトを配信するための配信リクエストをメディア・プロバイダに送信し、メディア・オブジェクトの購入に対してユーザに課金し、メディア・オブジェクトの配信に対する支払いをメディア・プロバイダに提供し、メディア送信側に報酬を提供する。その場合、ネットワークオペレータは、ネットワークオペレータがメディア・オブジェクトの購入に対してユーザに課金し且つメディア・プロバイダに支払いを提供する責任を有し、メディア・プロバイダがユーザにメディア・オブジェクトを配信することについて、メディア・プロバイダと信頼関係を更に有してもよい。
【００１８】
更なる実施形態において、ユーザは、メディア・オブジェクトの購入が許可されるかを判定するために予め定義された購入規則に関して更にチェックされてもよい。予め定義された購入規則は、現在の端末ユーザのアイデンティティと、現在のユーザの場所と、以前の請求書の支払いと、ユーザのアカウントにおいて利用可能な金額と、メディア・オブジェクトの量と、サイズ又は価格と、メディア・オブジェクトの種類と、現在の時刻と、週又は季節と、現在利用可能なネットワーク帯域幅と、のうちの１つ以上に依存してもよい。購入規則は異なるユーザ又は端末に対して更に差別化されてもよく、これにより、端末にログオンしたユーザ又は端末の性能に依存してもよい。
【００１９】
メディア・プロバイダ又は個別の購入ハンドラが購入リクエストを受信する場合、メディア・オブジェクトの購入が許可されるかを判定するためにユーザの信頼性がチェックされてもよく、購入が許可される場合、報酬がメディア送信側に提供されてもよい。
【００２０】
別の態様において、メディア送信側により制御され、ユーザ端末を操作するユーザがメディア・プロバイダにより所有されるメディア・オブジェクトを購入できるようにするメディア・センダにおける装置が提供される。このメディア・センダの装置は、ユーザに対してメディア・オブジェクト又は当該メディア・オブジェクトを示す表示を提示するように構成された提示部と、メディア・オブジェクトを識別するメディアＩＤをユーザ端末に伝達し且つメディア送信側を識別するセンダＩＤをユーザ端末に伝達するように構成された伝達手段とを備える。その場合、ユーザ端末は、ユーザから購入コマンドを受信した場合にメディアＩＤ及びセンダＩＤを参照する購入リクエストを作成できる。
【００２１】
一実施形態において、メディア・センダの装置は、ＮＦＣリンクを介してメディアＩＤ及びセンダＩＤの少なくとも一方を送信するように構成されたＮＦＣ部を備える。ＮＦＣ部は、ユーザ端末からのメディア・オブジェクトに関するメディア・クエリに応じてメディアＩＤ及びセンダＩＤの少なくとも一方を送信するように更に構成されてもよい。更なる実施形態において、提示部は、メディア・オブジェクトの少なくとも一部を再生し且つメディア・オブジェクトの再生部分の重畳情報としてユーザ端末にメディアＩＤ及びセンダＩＤの少なくとも一方を伝達するように更に構成される。伝達手段は、ユーザ端末にメディア・プロバイダを識別するメディア・プロバイダＩＤを伝達するように更に構成されてもよい。
【００２２】
別の態様において、メディア・プロバイダにより所有されるメディア・オブジェクト又は当該メディア・オブジェクトを示す表示がメディア送信側により制御されるメディア・センダによりユーザに対して提示され、ユーザ端末を操作するユーザがメディア・オブジェクトを購入できるようにするユーザ端末における装置が提供される。ユーザ端末の装置は、メディア・オブジェクトを購入するための入力コマンドをユーザから受信するように構成された入力部と、メディア・オブジェクトを識別するメディアＩＤ及びメディア・センダを識別するセンダＩＤをメディア・センダから取得する取得手段と、入力コマンドを受信した場合に取得したメディアＩＤ及びセンダＩＤを参照する購入リクエストを作成するように構成された購入リクエスタとを備える。その場合、メディア・プロバイダは購入リクエストに応じてメディアＩＤに基づいてメディア・オブジェクトを配信でき、報酬はユーザによるメディア・オブジェクトの購入に対してセンダＩＤに基づいてメディア送信側に提供されてもよい。
【００２３】
一実施形態において、取得手段は、ＮＦＣリンクを介してメディア・センダからメディアＩＤ及びセンダＩＤを受信するように構成されたＮＦＣ部を備える。その場合、メディア・オブジェクト又は表示はメディア・センダにより再生されてもよく、ＮＦＣ部はメディア・オブジェクトの再生中にメディア・センダからメディアＩＤ及びセンダＩＤを受信するように更に構成されてもよい。ＮＦＣ部は、ユーザから入力コマンドを受信した場合にメディア・センダにメディア・オブジェクトに関するメディア・クエリを送信し且つメディア・クエリに応じてメディアＩＤ及びセンダＩＤを受信するように更に構成されてもよい。
【００２４】
更なる実施形態において、メディア・オブジェクト又は表示はメディア・センダにより再生され、取得手段は再生されたメディア・オブジェクト又は表示の重畳情報としてメディアＩＤ及びセンダＩＤを受信するように更に構成される。購入リクエスタは、ユーザにサービスを提供するネットワークオペレータ、メディア・プロバイダ又は別個の購入ハンドラに購入リクエストを送信するように更に構成されてもよい。
【００２５】
更に別の態様において、ユーザ端末を操作するユーザがメディア・オブジェクトを購入できるようにするように構成された購入制御部における装置が提供される。この場合も、メディア・オブジェクト又は表示はメディア・センダによりユーザに対して提示され、メディア・オブジェクトはメディア・プロバイダにより所有され、メディア・センダはメディア送信側により制御される。購入制御部の装置は、メディア・オブジェクトを識別するメディアＩＤ及びメディア送信側を識別するセンダＩＤをメディア・センダから取得した端末からメディアＩＤ及びセンダＩＤを参照する購入リクエストを受信するように構成された購入マネージャと、メディア・オブジェクトがユーザに配信されるように、メディア・プロバイダ又は関連する別個の配信ハンドラにメディアＩＤを示す配信リクエストを送信するように構成された配信リクエスタとを備える。購入マネージャは、センダＩＤに基づいてメディア送信側を識別し且つユーザによるメディア・オブジェクトの購入に対する報酬をメディア送信側に提供するように更に構成される。
【００２６】
一実施形態において、購入マネージャは、メディア・オブジェクトの購入が許可されるかを判定するために予め定義された購入規則に関してユーザをチェックするように更に構成される。予め定義された購入規則は上述の異なる要素に依存してもよく、異なるユーザ又は端末に対して更に差別化されてもよい。
【００２７】
別の実施形態において、購入マネージャは、ユーザによるメディア・オブジェクトの購入に対する支払いをメディア・プロバイダに提供し且つ購入に対してユーザに課金するように更に構成される。購入制御部は、メディア・プロバイダ、ユーザにサービスを提供するネットワークオペレータ及び別個の購入ハンドラのいずれかに配置されるか又は制御されてもよい。
【００２８】
更に別の態様において、ユーザ端末を操作するユーザがメディア・オブジェクトを購入できるようにするメディア・プロバイダにおける方法が提供される。この場合も、メディア・オブジェクトはメディア・プロバイダにより所有され、メディア・オブジェクト又は当該メディア・オブジェクトを示す表示はメディア送信側により制御されるメディア・センダによりユーザに対して提示される。本方法において、メディア・オブジェクトを識別するメディアＩＤ及びメディア・センダを識別するセンダＩＤを参照する購入リクエストはユーザ端末から受信される。この場合、端末はメディア・センダからメディアＩＤ及びセンダＩＤを取得している。その後、メディア・オブジェクトは購入リクエストに応じてメディアＩＤに基づいてユーザに配信され、メディア送信側はセンダＩＤに基づいて識別され、報酬はユーザによるメディア・オブジェクトの購入に対してメディア送信側に提供される。受信した購入リクエストは、メディア・オブジェクトが配信されてもよい好適な配信先住所を更に示してもよい。
【００２９】
上述の本発明を使用することにより、特に少額の購入の場合、メディア・オブジェクトは、ユーザに求められる労力及び注意が最小限である安全且つ相対的に単純な方法で購入可能である。別の利点は、メディア・オブジェクトの購入に対する収入が、メディア・オブジェクトを販売するメディア・プロバイダに加えて、ユーザにより購入されるメディア・オブジェクトを提示するメディア送信側、更にオプションで購入を処理する別個の購入ハンドラにより受け取られる点である。この解決策により、ユーザに対するメディア・オブジェクトの提示によりユーザがメディア・プロバイダからメディア・オブジェクトを購入した場合にメディア送信側は収入を受け取ることができる。本発明の更なる特徴及び利益は以下の詳細な説明から明らかとなるだろう。
【図面の簡単な説明】
【００３０】
添付の図面を参照して、好適な実施形態により本発明を以下に更に詳細に説明する。
【図１】従来技術に従ってストリームメディアを購入する手順を示す基本的な概略図である。
【図２】いくつかの好適な実施形態に係る端末ユーザに対して提示されているメディア・オブジェクトを購入できるようにする手順及び構成を示す基本的な概略図である。
【図３】一実施形態に係るユーザ端末におけるメディア・オブジェクトを購入できるようにする手順を示すフローチャートである。
【図４】別の実施形態に係る購入制御部におけるメディア・オブジェクトを購入できるようにする手順を示すフローチャートである。
【図５】更なる実施形態に係るメディア・オブジェクトを購入できるようにする手順を示す信号伝送図である。
【図６】更なる実施形態に係るユーザ端末、メディア・センダ及び購入制御部におけるメディア・オブジェクトを購入できるようにする構成を示すブロック図である。
【図７】更なる実施形態に係る端末ユーザに対して提示されているメディア・オブジェクトを購入できるようにする手順及び構成を示す基本的な概略図である。
【図８】別の実施形態に係る購入ハンドラにおけるメディア・オブジェクトを購入できるようにする手順を示すフローチャートである。
【図９】更なる実施形態に係る端末ユーザがメディア・オブジェクトを購入できるようにするためにアイデンティティが処理される方法の手順及び構成を示す基本的な概略図である。
【発明を実施するための形態】
【００３１】
基本的に、本発明は、メディア・センダにより提示されているメディア・オブジェクト又は当該メディア・オブジェクトを示す表示の提示を聞いているか又は閲覧しているユーザが自身のユーザ端末において入力コマンドを作成するだけで関連するメディア・プロバイダからのメディア・オブジェクトの購入を開始できる解決策を提供する。その場合、端末は、以下に説明する方法でメディア・オブジェクトの購入を実行するための動作を自動的に行う。従って、購入全体は自動的に完了され、ユーザは更なる労力を求められない。
【００３２】
本説明において、用語「メディア・オブジェクト」は、通常は音楽、映画、静止画又は動画である何らかの種類の音声、映像、画像、テキスト又はソフトウェアを表すものとして広義に理解されるべきであるが、本発明はそれらに限定されない。メディア・オブジェクトの表示は、例えば音声、画像、テキスト、アニメーション又はそれらの何らかの組合せである何らかの適切な方法でメディア・オブジェクトを参照する紹介、広告又は確認であってもよい。以下、メディア・オブジェクト又はその表示の提示を共にメディア・オブジェクトの提示と呼ぶ。従って、メディア・オブジェクトは、メディア・オブジェクト自体又はメディア・オブジェクトの表示を提示又は開示することによりユーザに対して提示されてもよい。
【００３３】
更に、購入は、ユーザが加入者であるホームネットワークオペレータ、あるいは例えば既知のいわゆる「Ｐａｙ  Ｐａｌ」に類似する「購入ハンドラ」と呼ばれる別個の存在により制御され且つ課金されてもよい。購入ハンドラはメディア・プロバイダと信頼関係を有し、以下に更に詳細に説明する種々の課金及び報酬機能を処理するように構成される。購入ハンドラの機能は、以下に更に詳細に説明する購入の制御及び課金のためにコンテンツプロバイダにおいて更に実現されてもよい。
【００３４】
本解決策において、基本的に、関連するメディア送信側はメディア・センダ器によりメディア・オブジェクトを提示し、提示はユーザ端末の操作者により受信され且つ体験される。従って、本説明において、用語「メディア・センダ」は基本的に、メディア・オブジェクトを観察できる人にそれを提示する責任を有するメディア送信側により使用されるメディア提示機器を示す。メディア・センダは適切な再生部であってもよく、あるいは他の提示機器又は手段であってもよい。
【００３５】
メディア・オブジェクトは、少なくとも技術的な意味でメディア・プロバイダにより「所有」され、例えばラジオ又はＴＶ放送局、あるいはディスクジョッキーであるメディア送信側により制御されるスピーカを介して再生される音声メディア、あるいは映像再生装置等を介して再生される映像又は画像等の視覚メディアであってもよい。
【００３６】
あるいは、メディア・オブジェクトは、本解決策に限定されない何らかの方法で提供、紹介、解説、開示又は表示されることによりユーザに対して提示されてもよい。
【００３７】
従って、メディア・オブジェクトは、例えば再生又は開示である異なる方法で提示されてもよい。更に、メディア・オブジェクトは、全体がある程度再生されてもよく、あるいはその限定部分のみが再生されてもよい。例えば、メディア・オブジェクトに関するティーザ、トレーラ又は他の提示が適切な方法でユーザに対して開示されてもよい。従って、本発明はメディア・オブジェクトを提示する何らかの特定の方法に限定されない。
【００３８】
従って、メディア送信側は、メディア・オブジェクトの販売を促進するために、提示を受信するユーザに対して提示されたメディア・オブジェクトを何らかの方法で提案、宣伝又は推薦するためにメディア・プロバイダと関連付けられるのが効果的である。
【００３９】
メディア・センダは、無線通信インタフェースを介して、メディア送信側を識別する送信機アイデンティティである「センダＩＤ」を含み且つ現在提示されているメディア・オブジェクトを識別するメディアアイデンティティである「メディアＩＤ」を更に含むメタデータ又はメタ情報を更に送信する。このメタデータはユーザ端末により取得される。ユーザの入力コマンドを受信した場合、ユーザ端末は少なくとも受信した送信機アイデンティティ及びメディアアイデンティを含む購入リクエストを送信できる。異なる実施形態によると、購入リクエストは、メディア・オブジェクトを所有するメディア・プロバイダ、あるいは以下に更に説明する別個の購入ハンドラ又はホームネットワークオペレータにより制御される購入制御部等に直接送信されてもよい。いずれの場合も、購入リクエストは、メディア・プロバイダ、購入ハンドラ又はホームネットワークオペレータに属してもよい論理購入制御部等により受信され且つ処理されてもよい。
【００４０】
例えばメタデータは、例えばＢｌｕｅｔｏｏｔｈ（登録商標）、赤外線又は他の何らかのＮＦＣ（近距離無線通信）技術を使用して、メディア・センダにおけるＮＦＣ送信機及びユーザ端末におけるＮＦＣ受信機を含む適切なＮＦＣ機器により別個の無線通信リンクでメディア・センダから端末に送信されてもよい。メディア・オブジェクトが、例えばそれ自体が既知である方法でいわゆる透かしアルゴリズムを使用して再生音声ストリームに符号化されて無線送信により提示される場合、メタデータは、メディアの提示内の重畳、埋め込み又は組み込み情報としてメディア・センダから更に送信されてもよい。本明細書において、用語「ＮＦＣ」は、上記のメタデータをメディア・センダから端末にローカルに伝達するために使用可能である何らかの無線通信機構を広義に表すために使用される。更に、上記のセンダＩＤ及びメディアＩＤはメディア・センダから同一の方法で送信される必要がなく、異なる独立した機構により送信されてもよい。例えば、センダＩＤはＢｌｕｅｔｏｏｔｈ（登録商標）等の別個のＮＦＣリンクで送信されてもよく、メディアＩＤはメディアの提示に埋め込まれるか又は組み込まれてもよい。あるいは、センダＩＤはメディアの提示に埋め込まれるか又は組み込まれてもよく、メディアＩＤは別個のＮＦＣリンクで送信されてもよい。
【００４１】
上述のように、購入リクエストは、メディア・プロバイダ、ホームネットワークオペレータ又は別個の購入ハンドラに送信され且つ処理されてもよい。端末がホームネットワークオペレータ又は関連する購入ハンドラに対して購入リクエストを作成する場合、メディア・プロバイダは、ホームネットワークオペレータ又は購入ハンドラにより、受信したメディアＩＤにより識別されるメディア・オブジェクトを配信するように要求される。その場合、ホームネットワークオペレータ又は購入ハンドラはメディア・プロバイダと信頼関係を確立しているか又は対応する合意をしていると仮定する。その場合、メディア・プロバイダは、ホームネットワークオペレータ又は購入ハンドラからメディア配信に対する支払いを受け取ってもよい。その後、ユーザは、自身のオペレータによって、例えば通常の会費請求書、別個の請求書又はユーザの課金アカウントからのリアルタイムの引き落としによりメディア・オブジェクトの購入に対して課金されてもよい。
【００４２】
メディアの購入に対して、報酬又は手数料が上述のセンダＩＤから識別される関連するメディア送信側に更に提供されてもよい。本説明において、用語「報酬」は、使用された手順又は機構に関係なく、実行された購入に対するメディア送信側への何らかの金銭的報酬を示す。従って、この技術的解決策により、ユーザ、ホームネットワークオペレータ、使用される場合は購入ハンドラ、メディア・プロバイダ及びメディア送信側のうちのいずれか１人以上に対して有用である種々の異なるビジネスモデルが可能になることが容易に理解される。
【００４３】
メディア・オブジェクトを配信するようにメディア・プロバイダに要求する前に、ホームネットワークオペレータ又は購入ハンドラは、ユーザが所望のメディア・オブジェクトを購入することを許可されるかをチェックしてもよい。このチェックは、加入条件及び／あるいは予め定義された購入規則又はポリシーに従ってもよい。例えば、ユーザが以前の請求書の支払いを適切に行ったか、あるいはメディア・オブジェクトの価格又はサイズが事前に設定された制限を越えないことが必要とされてもよい。他の例において、未成年者が成人向け映画の購入を許可されないように、特定のユーザが制限された量のメディアデータ又は特定の種類のメディア（例えば、音声のみ）の購入のみを許可されるように、あるいはメディア・オブジェクトが特定の時刻、週又は季節にのみ購入可能であるように、特定の購入規則又はポリシーが異なるユーザに対して定義されてもよい。最後の条件は、使用される通信ネットワークにおけるトラフィックを制限し且つ輻輳を回避することが望ましい場合、データトラフィックの集中する時間帯において有用である場合がある。
【００４４】
図２を参照して、メディア・オブジェクトが端末ユーザに対して提示される場合にそれを購入できるようにする手順の一例を以下に説明する。ユーザはユーザ端末２００を操作し、メディア・オブジェクト、あるいはティーザ、トレーラ又は他の開示等のメディア・オブジェクトの表示はメディア送信側により制御されるメディア・センダ２０２により提示される。提示されたメディア・オブジェクトはメディア・プロバイダ２０４により更に所有され、購入は購入制御部２０６により処理される。
【００４５】
本例において、購入制御部２０６は、加入者としてユーザを有するホームネットワークオペレータに属する。しかし、購入制御部２０６の説明された機能は、代わりにメディア・プロバイダ２０４において実現されてもよく、あるいはＰａｙ  Ｐａｌ等の別個の購入ハンドラにより制御されて実現されてもよい。
【００４６】
ホームネットワークは、モバイル又は固定アクセスネットワーク、あるいはＩＭＳ（ＩＰマルチメディアサブシステム）ネットワークであってもよい。ホームネットワークオペレータ及びメディア・プロバイダは、ホームネットワークオペレータがメディア・オブジェクトの購入に対して加入者／ユーザに課金し且つ加入者にメディア・オブジェクトを配信するか又は加入者により指定されたメディア・プロバイダに購入に対する支払いを提供する責任を有するという点で信頼関係を確立していると更に仮定する。
【００４７】
第１のステップ２：１は、一般にメディア・オブジェクト又は当該メディア・オブジェクトを示す表示がメディア・センダ２０２により提示され、提示が端末２００のユーザにより受信され且つ体験されることを示す。これは、本発明に限定されずに異なる方法で行われてもよく、メディア・センダ２０２は、ディスコ、レストラン又は店舗等のある程度公共の空間、あるいは家庭又は車内等のより私的な空間のスピーカ又はＴＶ画面を介してメディア・オブジェクト又は表示を提示してもよい。
【００４８】
あるいは、メディア・センダ２０２は、例えばＢｌｕｅｔｏｏｔｈ（登録商標）である適切な通信リンクを介して端末２００により受信され且つ音声、映像、画像又はテキスト等の形態で端末上に提示されるデータストリームを送信することによりメディア・オブジェクトを提示してもよい。その場合、データストリームは、パケットデータネットワークを介して伝達されてもよく、あるいはメディア・センダ２０２内の送信側ＮＦＣ部等及び端末２００内の受信側ＮＦＣ部等によりローカルに伝達されてもよい
同時に、ステップ２：２に示すように、メディア・センダ２０２は、メディア送信側を識別するセンダＩＤ及び現在提示されているメディア・オブジェクトを識別するメディアＩＤを含むメタデータを自身のＮＦＣ部から更に送信する。メディア・センダ２０２により送信されたメタデータは、提示されたメディア・オブジェクトを所有するメディア・プロバイダを識別するメディア・プロバイダアイデンティティ「ＭＰＩＤ」を更に含んでもよい。
【００４９】
メディアＩＤは、「ＣＲＩＤ」（コンテンツ参照識別子）、「ＤＩＩ」（ＭＰＥＧ−２１デジタル項目識別子）、「ＵＰＣ」（統一商品コード）又は「ＩＳＡＮ」（国際標準視聴覚番号）等の既知のメディア識別規格に従うアイデンティティであってもよい。センダＩＤは、「ＩＳＩＭ」（ＩＭＳ加入者識別モジュール）として既知であるＩＭＳ規格に従う加入者アイデンティティであってもよい。例えばｘｍｐ：ｉｄｅｎｔｉｆｉｅｒ又はＤｕｂｌｉｎ  Ｃｏｒｅ、ｄｃ：ｃｏｎｔｒｉｂｕｔｏｒ、ｄｃ：ｐｕｂｌｉｓｈｅｒ及びｄｃ：ｃｒｅａｔｏｒである属性のいずれかを識別子として使用する既知の「Ａｄｏｂｅ  ＸＭＰメタデータ」形式である既存のメタデータ形式の属性として上記のＩＤのいずれかを送信することもできる。本ステップにおいて、メディアＩＤ及びセンダＩＤは、このように一般に端末２００によりメディア・センダ２０２から取得される。
【００５０】
次のステップ２：３は、ユーザが例えば端末上の「購入」ボタン等を押下することにより、現在再生又は開示されている提示されたメディア・オブジェクトを購入するための入力コマンドを端末２００において作成することを示す。端末２００は、少なくとも現在受信したメディアＩＤ及びセンダＩＤを含む購入リクエストメッセージを作成するソフトウェア機能性を有するように構成される。更なるステップ２：４において、メッセージは、入力コマンドに応じて購入制御部２０６に自動的に送信される。ＭＰＩＤがメタデータに含まれる場合、端末が通常はＣＲＩＤにも利用されるＵＲＬ（ユニバーサルリソースロケータ）等のＨＴＴＰ（ハイパーテキスト転送プロトコル）リンクをＭＰＩＤから作成できるようにＭＰＩＤを更に構成できてもよい。それにより、端末はＨＴＴＰリンクを使用して購入リクエストを送信できる。
【００５１】
端末２００のユーザがホームネットワークにおいて加入者として既知であるため、本例において、受信された購入リクエストは適宜管理可能であり、すなわち、ユーザ及びユーザの端末の更なる識別及び認証を必要とせずに管理可能である。あるいは、端末はメディア・プロバイダ又は別個の購入ハンドラに購入リクエストを送信してもよく、他の例を参照してこれを以下に後述する。ソフトウェア機能性は製造時に端末にインストールされてもよく、あるいはサーバ等から取得されてもよい。これは本発明の範囲に含まれない。
【００５２】
オプションである次のステップ２：５において、購入制御部２０６は加入者が要求された購入を実行することを許可されるかをチェックしてもよい。このチェックは、加入条件及び／あるいは予め定義された購入規則又はポリシーに従ってもよい。本説明において、用語「購入規則」は、要求されたメディア・オブジェクトの購入が許可されるか否かを示してもよい何らかの規則、ポリシー又は加入条件を表すために使用される。購入規則は、購入制御部２０６がアクセスできる不図示の規則データベースに格納されてもよい。
【００５３】
上述のように、購入規則は、現在の端末ユーザのアイデンティティと、現在のユーザの場所と、以前の請求書の支払いと、ユーザのアカウントにおいて利用可能な金額と、要求されたメディア・オブジェクトの量と、サイズ又は価格と、要求されたメディアの種類と、現在の時刻と、週又は季節と、現在利用可能なネットワーク帯域幅と、である制限要素のいずれかに個別に依存するか又はそれらの組合せに依存してもよい。このように、購入規則は異なるユーザ又は端末に対して差別化されてもよく、これにより、使用された端末にログオンしたユーザ又は端末の性能に依存してもよい。本ステップにおいて、要求された購入が許可され且つ安全に実行されるかを調べるために、例えばユーザに関連付けられる銀行又はアカウントに連絡することによりユーザの信頼性が更にチェックされてもよい。
【００５４】
要求されたメディア・オブジェクトの購入が許可されると仮定する場合、購入制御部２０６は、例えば受信したメディアＩＤ及び／又はセンダＩＤに分解機構を適用することにより、受信した購入リクエストからメディア・プロバイダ２０４を識別できる。その後、更なるステップ２：６において、購入制御部２０６は、メディア・オブジェクトを例えばユーザ端末２００に電子的に配信するか又は好適な配信先住所に物理的に配信するための要求をメディア・プロバイダ２０４に送信する。本例において、ホームネットワークオペレータ及びメディア・プロバイダが信頼関係を有するため、それらは配信リクエストを伝達するための専用通信チャネルを更に確立していてもよい。しかし、何らかの適切な通信リンク又はチャネルが本ステップにおいて使用されてもよく、本発明はこの点において限定されない。
【００５５】
従って、メディア・プロバイダ２０４は、次のステップ２：７で概略的に示すようにユーザ端末２００にメディア・オブジェクトを配信するか、あるいは好適な配信先住所に配信する。本ステップにおいて、メディア・オブジェクトの配信は、本発明に限定されずに異なる方法で実行可能である。例えばメディア・オブジェクトは、例えばアップロードされたメディア・ファイルとしてユーザ端末２００に電子的に配信されてもよい。その場合、メディア・ファイルは、ユーザがステレオ又はＴＶ機器等の他の装置でメディアを再生できるようにするＤＲＭ（デジタル著作権管理）として既知である技術を使用して保護されてもよい。メディア・オブジェクトは、例えばＣＤ、ＤＶＤ又は他のデータ記憶装置である物理媒体により記憶されてユーザに更に配信されてもよい。
【００５６】
次の概略的なステップ２：８において、メディア・プロバイダ２０４は、ホームネットワークオペレータからステップ２：７のメディア配信に対する支払いを適切な方法で受信する。この動作は、本発明に限定されずに異なる方法で達成されてもよい。例えば、メディア・プロバイダ２０４は購入制御部２０６にアカウントクレームを送信してもよく、その後、購入制御部２０６はメディア・プロバイダ２０４にアカウント決済通知を送信してもよい。
【００５７】
更なるステップ２：９により示すように、メディア・オブジェクトの購入が実行された後、ユーザがメディア・センダ２０２により提示されたメディア・オブジェクトを購入した場合、購入制御部２０６はセンダＩＤから識別されたメディア送信側に報酬を更に提供する。最後に、ステップ２：１０に示すように、ユーザ／加入者は購入に対して課金される。これは、通常の電話料金請求書又はメディア・オブジェクトの購入に対して発行された別個の請求書により実行されてもよい。また、課金は「リアルタイム」で実行されてもよく、すなわち、関係する金額がユーザのプリペイドアカウント等から引き落とされてもよい。
【００５８】
上述の手順の例は、異なる方法で変更可能である。例えば、メディア・センダ２０２からメディアＩＤ及びセンダＩＤを取得するステップ２：２はステップ２：３の入力コマンドに応じて実行されてもよく、その場合、端末２００はメディア・センダ２０２に対して現在再生されているメディア・オブジェクトに関するメディア・クエリ又は「ポーリング」を自動的に送信する。その後、メディア・センダ２０２は、端末がメディアＩＤ及びセンダＩＤを取得するように適宜応答する。このクエリ及び応答の通信において、図示のＮＦＣ部が使用可能である。あるいは、メディアＩＤ及び／又はセンダＩＤは、別個の通信リンク又はチャネルを使用する代わりに、再生中のメディア・オブジェクトの重畳、埋め込み又は組み込み情報として伝達されてもよい。更に、ステップ２：７、２：８、２：９及び２：１０は基本的に互いに独立しており、何らかの適切な順序で実行可能である。例えば、最初にユーザが課金されてもよく、その後、メディア・プロバイダに対して支払いが行われてもよく、メディア・センダに報酬が提供されてもよい。
【００５９】
メディア・センダは、本解決策を使用する異なる方法で実現されてもよい。例えばメディア・センダは、上述のように公的な空間に配置された再生機器であってもよく、あるいは、例えばユーザの家庭又は車内に配置された無線受信機であるユーザに属する機器であってもよい。その場合、メディア・センダにより上述の方法で送信されるメディア・オブジェクトの提示及びメタデータを放送するという意味で、メディア・センダはメディア送信側により制御される。
【００６０】
ユーザにより操作される通信端末において実行されるステップを有するフローチャートを示す図３を参照して、別の実施形態に係るメディア・オブジェクトを購入できるようにする手順を以下に説明する。図２と同様に、メディア・オブジェクトの提示はユーザにより受信されるためにメディア・センダにより送信され、メディア・オブジェクトはメディア・プロバイダにより所有される。
【００６１】
第１のステップ３００において、上記の例のステップ２：３と同様に、端末は提示されたメディア・オブジェクトに対する購入コマンドをユーザから受信する。次のステップ３０２において、端末は、例えばＢｌｕｅｔｏｏｔｈ（登録商標）又は赤外線技術に基づく別個のＮＦＣリンクを使用して、メディア・センダからメディアＩＤ及びセンダＩＤを取得する。上述のように、メディアＩＤ及びセンダＩＤは、メディア・オブジェクトの再生中に例えば別個の通信リンクで、メディアの重畳又は組み込み情報として、あるいはユーザから購入コマンドを受信した場合に端末により作成されるメディア・クエリに応じて、メディア・センダから自動的に取得されてもよい。従って、ステップ３００及び３０２の動作の順序は実現例に応じて何らかの方法で選択されてもよい。更に、端末は上記の方法でメディア・センダからメディア・プロバイダアイデンティティを更に取得してもよい。
【００６２】
次に、端末はメディアＩＤ及びセンダＩＤを含み且つそれらを参照する購入リクエストメッセージを作成し、更なるステップ３０４において、上記の例のステップ２：４と同様に、メッセージは購入制御部又は同様の機能エンティティに送信される。実現例に応じて、購入リクエストメッセージは好適な配信先住所及び上述のメディア・プロバイダアイデンティティを更に含んでもよい。購入制御部は、ホームネットワークオペレータ、メディア・プロバイダ又は別個の購入ハンドラにおいて実現されてもよい。要求されたメディア・オブジェクトの購入が例えばホームネットワークオペレータ又はメディア・プロバイダにより制御されて許可される場合、端末及び／又はユーザは最終的にメディア・プロバイダから所望のメディア・オブジェクトを受信する。また、ユーザは、例えば通常の会費請求書、別個のメディア購入請求書又はユーザのアカウントからの引き落としにより、ホームネットワークオペレータにより課金される。あるいは、ユーザは適切な請求書又は伝票でメディア・プロバイダにより課金される。
【００６３】
購入制御部により実行されるステップを有するフローチャートを示す図４を参照して、別の実施形態に係るメディア・オブジェクトを購入できるようにする手順を以下に説明する。購入制御部は、メディア・プロバイダと信頼関係を有するホームネットワークオペレータ、メディア・プロバイダ自身又は別個の購入ハンドラに属してもよい。この場合も、メディア・オブジェクトはユーザ端末を操作するユーザに対してメディア・センダにより提示され、メディア・オブジェクトはメディア・プロバイダにより所有される。図４の処理は、破線矢印で示すように、ユーザ端末により実行された図３のステップ３００〜３０４の続きとして実行可能である。
【００６４】
第１のステップ４００において、メディアＩＤ及びセンダＩＤを含み且つそれらを参照する購入リクエストがユーザ端末から受信される。従って、これは図３のステップ３０４に基本的に対応する。購入リクエストは、メディア・オブジェクトを配信できるメディア・プロバイダを識別する特定のメディア・プロバイダアイデンティティを更に含んでもよく、これは、端末がメディア・センダからメディアＩＤ及びセンダＩＤと共に取得していてもよい。ユーザの適切な識別及び好適な配信先住所を更に含んでもよい。
【００６５】
次のステップ４０２において、要求された購入が許可されるかを判定するために、購入制御部は、例えば上述の予め定義された購入規則をチェックすることによりユーザが購入を行うことを許可されるかをチェックする。ステップ２：５に対して上述したように、例えば購入規則に関してユーザをチェックすることは、現在の端末ユーザのアイデンティティと、現在のユーザの場所と、ユーザのアカウントにおいて利用可能な金額と、以前の請求書の支払いと、要求されたメディアの量と、サイズ又は価格と、要求されたメディアの種類と、現在の時刻と、週又は季節と、現在利用可能なネットワーク帯域幅と、である制限要素のいずれか１つ以上に依存してもよい。
【００６６】
次のステップ４０４において、例えば購入規則に従って購入が許可されないと判定される場合、ステップ４０６において、適切な拒否メッセージが端末に送信されてもよい。あるいは、購入は許可され、更なるステップ４０８において、上記の例のステップ２：６と同様に、少なくとも受信したメディアＩＤを示し且つオプションでセンダＩＤ及び好適な配信先住所を示す配信リクエストがメディア・プロバイダに送信される。上述のように、メディア・プロバイダは購入リクエスト内のメディアＩＤ及び／又はセンダＩＤから識別されてもよく、あるいは、特定のメディア・プロバイダアイデンティティが購入リクエストに含まれる場合はそれから識別されてもよい。
【００６７】
次のステップ４１０において、購入は適切な方法でメディア・プロバイダにより承認され、それにより、ステップ４０８で要求されたメディアの配信に対する支払いがメディア・プロバイダに提供される。最後のステップ４１２は、メディア・オブジェクトの購入に対する報酬がステップ４００で受信された購入リクエスト内のセンダＩＤから識別可能であるメディア送信側に更に提供されることを示す。購入がステップ４０４以降で許可される場合、購入制御部は上記の手順の何らかの時点で購入に対してユーザに課金してもよい。ここではこれをステップとして示さない。
【００６８】
図５は、更なる実施形態に係る信号伝送図を参照して、メディア購入を可能にする多少変更された手順を示す。この信号伝送手順には、基本的に、現在のユーザにより操作されるユーザ端末５００、関連するメディア送信側により制御されるメディア・センダ５０２、加入者として現在の端末ユーザを有するホームネットワークオペレータ５０４及びメディア・プロバイダ５０６が関係する。上述のように、ホームネットワークオペレータ５０４の機能性は購入制御部等により達成されてもよい。この場合も、メディア・プロバイダ５０６により所有されるメディア・オブジェクトはメディア・センダ５０２により現在又は過去に提示され且つホームネットワークオペレータ５０４はメディア・プロバイダ５０６と信頼関係を有すると仮定する。図５のいくつかのステップは上記の図２〜図４の対応するステップに非常に類似しているため、それらを再度詳細に説明しない。
【００６９】
第１のステップ５：１において、ユーザ端末５００は、提示されたメディア・オブジェクトを購入するための購入コマンドをユーザから受信する。本例では、次のステップ５：２において、端末５００はメディア・センダ５０２にメディア・クエリを送信するか又は「ポーリング」して、提示されたメディア・オブジェクトを識別するようにメディア・センダ５０２に求める。それに応じて、次のステップ５：３において、メディア・センダ５０２は、例えばＢｌｕｅｔｏｏｔｈ（登録商標）又は赤外線技術に基づく別個のＮＦＣリンクを使用して、ユーザ端末５００に少なくともメディアＩＤ及びセンダＩＤを送信する。本例では図示しないが、実現例に応じて、メディア・センダ５０２は本ステップにおいてメディア・プロバイダアイデンティティを更に送信してもよい。
【００７０】
次のステップ５：４において、端末５００は、少なくとも取得したメディアＩＤ及びセンダＩＤを含む購入リクエストメッセージを作成し、上記のステップ３０４及び２：４に対して同様に説明したように、ホームネットワークオペレータ５０４にメッセージを送信する。購入リクエストメッセージは、メディアＩＤ及びセンダＩＤに加えて、メディア・プロバイダアイデンティティがステップ５：３の応答メッセージに含まれる場合はメディア・プロバイダアイデンティティを含んでもよく、好適な配信先住所を更に含んでもよい。その後、次のステップ５：５において、オペレータ５０４は、上記のステップ４０２及び２：５に対して同様に説明したように、要求された購入が許可されるかを判定するために予め定義された購入規則に関してユーザをチェックする。更なるステップ５：６において、オペレータ５０４は、上記のステップ４０８及び２：６に対して同様に説明したように、メディア・プロバイダ５０６に配信リクエストを更に送信する。しかし、購入が許可されない場合、代わりのステップ５：６ａに示すように、適切な拒否メッセージがユーザ端末５００に送信されてもよい。
【００７１】
ホームネットワークオペレータ５０４との信頼関係に依拠して、メディア・プロバイダ５０６はユーザに要求されたメディア・オブジェクトを安全に配信できる。ここではこれをステップとして示さない。その後、更なるステップ５：７において、メディア・プロバイダ５０６はオペレータ５０４に配信確認を送信する。それに応じて、ステップ５：８において、上記のステップ４１０及び２：８に対して同様に説明したように、オペレータ５０４はメディア・プロバイダに支払いを提供することによりメディア・プロバイダ５０６から課金の承認を得る。ステップ５：９において、オペレータ５０４は、関連するメディア送信側にメディア・オブジェクトの購入に対する報酬を更に提供する。最後に、ホームネットワークオペレータ５０４は、最後のステップ５：１０に概略的に示すように、例えば通常の電話料金請求書、別個の請求書又はプリペイドアカウントからの引き落としにより、配信されたメディア・オブジェクトに対して端末５００のユーザに課金する。
【００７２】
上述の手順が本発明から逸脱することなく多くの方法で変更可能であることは、当業者には理解されるだろう。例えば、ユーザに課金するステップ５：１０は、メディア・プロバイダ５０６に支払いを提供するステップ５：８及び／又はメディア送信側に報酬を提供するステップ５：９の前に実行されてもよい。更に、上述のように、メディアＩＤ及びセンダＩＤは別々に送信されてもよく、あるいは提示されたメディア・オブジェクトが再生される場合はその重畳情報として伝達されてもよく、それによりステップ５：２を省略できる。
【００７３】
図６は、基本的に図２〜図５の上述の実施形態のいずれかに係るメディア・プロバイダからメディア・オブジェクトを購入できるようにするために使用可能であるユーザ端末６００、メディア・センダ６０２及び購入制御部６０４における構成の例を概略的に示すブロック図である。上記の例に対して説明したように、購入制御部６０４は、メディア・プロバイダ、ユーザにサービスを提供するネットワークオペレータ又は別個の購入ハンドラのいずれかに配置されるか又は少なくとも制御されてもよい。
【００７４】
ユーザ端末６００は、例えば再生されることによりメディア・センダ６０２により提示されているメディア・オブジェクトを購入するための入力コマンド「ＩＣ」を現在のユーザから受信するように構成された入力部６００ａを備える。ユーザ端末６００は、ＮＦＣリンクを介してメディア・センダ６０２からメディアＩＤ及びセンダＩＤを取得し且つオプションでメディア・プロバイダＩＤを更に取得するように構成されたＮＦＣ部６００ｂを更に備える。図中ではこれらを全て「ＩＤ」と示す。上述のように、ＩＤは、メディア・オブジェクトの提示中に、あるいはユーザから購入コマンドを受信した場合に端末により作成されるメディア・クエリに応じて、メディア・センダ６０２から端末６００に伝達されてもよい。
【００７５】
更に、ＮＦＣ部６００ｂはメディア・センダ６０２からメディア・ストリームとして再生メディアを受信するように更に構成されてもよく、その場合、ＩＤはメディアの重畳情報として又は別個のＮＦＣチャネルを介して受信されてもよい。また、異なるＩＤを異なる方法で端末に伝達することもできる。本発明に限定されることなく、例えばメディアＩＤはメディアに重畳されてもよく、センダＩＤ及びメディア・プロバイダＩＤは別個のＮＦＣチャネルを介して伝達されてもよい。あるいは、メディアＩＤは別個のＮＦＣチャネルを介して伝達されてもよく、センダＩＤ及びメディア・プロバイダＩＤはメディアに重畳されてもよい。
【００７６】
ユーザ端末６００は、提示されたメディア・オブジェクトを購入するための入力コマンドＩＣをユーザから受信した場合に少なくともメディアＩＤ及びセンダＩＤを参照する購入リクエスト「Ｒ（ＩＤ：ｓ）」を作成して購入制御部６０４に送信するように構成された購入リクエスタ６００ｃを更に備える。
【００７７】
本例において、メディア・センダ６０２は、提示がスピーカ、あるいは映像又は画像再生装置のいずれかを介して端末６００のユーザにより受信され且つ体験されるようにメディア・オブジェクト「Ｍ」を提示するように構成された提示部６０２ａを備える。メディア・オブジェクトは、メディア・センダ６０２内のＮＦＣ部６０２ｂによりデータストリームとして送信されてもよい。これはＮＦＣ部６００ｂにより受信され、端末において再生される。しかし、提示部６０２ａは何らかの特定の提示技術に限定されない。ＮＦＣ部６０２ｂは、「ＩＤ」で示す１つ以上のメディア関連識別を送信するように更に構成される。これは、提示されたメディア・オブジェクトを識別するメディアＩＤ及びメディア送信側を識別するセンダＩＤを少なくとも含み且つオプションで上述のようなメディア・プロバイダＩＤを更に含む。
【００７８】
あるいは、破線矢印で示すように、ＩＤは提示部６０２ａから重畳情報として伝達されてもよい。本明細書において、用語「伝達手段」は、ＩＤが端末６００に伝達される方法に応じて、図示のＮＦＣ部６００ｂ及び／又は提示部６０２ａを表すために使用される。
【００７９】
メディアＩＤは、ＣＲＩＤ、ＵＰＣ、ＩＳＡＮ又はＤＩＩ等の標準化された種類のメディアアイデンティティであってもよく、センダＩＤはＩＭＳ加入者アイデンティティＩＳＩＭであってもよい。例えばｘｍｐ：ｉｄｅｎｔｉｆｉｅｒ又はＤｕｂｌｉｎ  Ｃｏｒｅ、ｄｃ：ｃｏｎｔｒｉｂｕｔｏｒ、ｄｃ：ｐｕｂｌｉｓｈｅｒ及びｄｃ：ｃｒｅａｔｏｒである属性のいずれかを識別子として使用する既知の「Ａｄｏｂｅ  ＸＭＰメタデータ」形式である既存のメタデータ形式の属性として上記のＩＤを送信することもできる。これらの属性又は識別子のいずれかは、メディア・オブジェクトが再生される場合にそれに埋め込まれるか、あるいは上述のように別個のＮＦＣリンクを介して伝達された後に受信端末６００のＮＦＣ部６００ｂにより抽出されてもよい。しかし、一般に、本発明はこれらのメディア関連識別の何らかの特定の規格又は形式に限定されない。
【００８０】
購入制御部６０４は、少なくとも上記のメディアＩＤ及びセンダＩＤを含み且つそれらを参照する購入リクエスト「Ｒ（ＩＤ：ｓ）」をユーザ端末６００から受信するように構成された購入マネージャ６０４ａを備える。購入マネージャ６０４ａは、ステップ２：５、４０２及び５：５に対して上述したように、要求された購入が許可されるかを判定するために、例えばデータベース６０４ｂ等に格納された予め定義された購入規則に関してユーザをチェックするように更に構成されてもよい。
【００８１】
購入制御部６０４は、購入が許可される場合にメディア・プロバイダに属する配信処理エンティティ「ＤＨ」６０６に受信したメディアＩＤ及び購入ユーザを示し且つオプションで好適な配信先住所を更に示す配信リクエスト「Ｄ」を送信するように構成された配信リクエスタ６０４ｃを更に備える。購入マネージャ６０４ａは、購入リクエスト内のセンダＩＤからメディア・センダ６０２を識別するように更に構成される。購入マネージャ６０４ａは、「ＭＳＰ」６０８として概略的に示すメディア送信側にユーザによる提示されたメディア・オブジェクトの購入に対する報酬「Ｃ」を提供するように更に構成される。購入マネージャ６０４ａは、ユーザへの要求されたメディア・オブジェクトへの配信に対する支払いをメディア・プロバイダに更に提供し（不図示）且つメディア・オブジェクトの購入に対してユーザに適切な方法で課金する（不図示）ように更に構成されてもよい。
【００８２】
尚、図６は、ユーザ端末６００、メディア・センダ６０２及び購入制御部６０４における種々の可能な機能単位及び構成を論理的な意味で示すにすぎない。しかし、これらの機能は、実際には図示の構造に限定されない何らかの適切なソフトウェア及びハードウェア手段を使用して当業者により自由に実現される。
【００８３】
上述のように、端末ユーザは、上記の図２〜図６に対して説明した方法でユーザのホームネットワークオペレータを用いずにメディア・オブジェクトを購入できてもよい。図７を参照して、別個の購入ハンドラ７０６を用いてメディア・オブジェクトをそのように購入できるようにする手順の一例を以下に説明する。上記の例と同様に、ユーザはユーザ端末７００を操作し、上述のように、メディア・オブジェクト又は表示はメディア送信側により制御されるメディア・センダ「Ａ」７０２により再生又は提示される。提示されたメディア・オブジェクトは、ユーザに対して公表することによりメディア・オブジェクトを販売促進、宣伝又は開示するためにメディア・センダＡを利用できるメディア・プロバイダ７０４により更に所有される。図中で概略的に示すように、メディア・プロバイダ７０４は、例えば販売を申し込んだ種々のメディア・オブジェクトを販売促進、宣伝又は開示するために、同様の方法で更なるメディア・センダＢ、Ｃ、Ｄ、．．．と関連してもよい。
【００８４】
基本的にステップ２：１に対して上述したように、第１のステップ７：１は、メディア・オブジェクトがメディア・センダ７０２により提示されることを示す。更なるステップ７：２において、メディア・センダ７０２は、例えばＣＲＩＤ、ＤＩＩ、ＵＰＣ、ＩＳＡＮ又は上述のメタデータ属性の形式で提示されたメディア・オブジェクトを識別する「ＭＩＤ」で示すメディアＩＤ及びＡのメディア送信側を識別する「ＳＩＤ（Ａ）」で示すセンダＩＤを含み且つ本例ではメディア・プロバイダ７０４を識別する「ＭＰＩＤ」で示すメディア・プロバイダＩＤを更に含むメタデータを更に送信する。ＳＩＤ（Ａ）及びＭＰＩＤは、ＩＳＩＭ又は上述のメタデータ属性の形式であってもよい。ＭＩＤ、ＳＩＤ（Ａ）及びＭＰＩＤは、例えばＮＦＣ部等を使用して端末７００において受信可能であると仮定する。
【００８５】
次のステップ７：３において、ユーザは提示されたメディア・オブジェクトを購入するための入力コマンドを端末７００で作成し、更なるステップ７：４において、端末７００は受信したＭＰＩＤにより識別されるメディア・プロバイダ７０４に購入リクエストを送信する。別の実施形態において、端末７００からの破線矢印により示すように、購入リクエストは代わりに購入ハンドラ７０６に送信されてよい。購入リクエストは少なくとも上記のＭＩＤ及びＳＩＤ（Ａ）を含み、購入の完了時にメディア・オブジェクトが配信される好適な配信先住所「ＤＡ」を更に含んでもよい。
【００８６】
次のステップ７：５において、購入リクエストを受信したメディア・プロバイダ７０４は、要求された購入が許可され且つ安全に実行されるかを調べるために、別個の購入ハンドラ７０６にユーザ、並びに受信したＭＩＤ及びＳＩＤ（Ａ）を示す購入チェック要求等を送信する。次のステップ７：６において、購入ハンドラ７０６は、例えば上述の方法で所定の購入規則に関してユーザの信頼性等に関する適切なチェックを実行する。この段階でユーザをチェックする処理は本発明に限定されず、例えば受信したＭＩＤ及びＳＩＤ（Ａ）に基づいて何らかの所定の方法で行われてもよい。ユーザのチェックは、ユーザを信頼できるか及び／又はユーザが購入に対する支払いを行えるかを調べるためにユーザの銀行に連絡することを更に含んでもよい。
【００８７】
購入が許可される場合、更なるステップ７：７において、購入ハンドラ７０６はメディア・プロバイダ７０４に応答する適切な肯定応答メッセージ「ＯＫ」を適宜送信する。それにより、メディア・プロバイダ７０４は、次のステップ７：８において概略的に示すように、ＤＡを受信した場合、それに従ってユーザにメディア・オブジェクトを配信でき、例えばユーザ端末７００に配信するか又は住所等に配信できる。更に、ステップ７：９において、購入ハンドラ７０６は購入に対してユーザに適切な方法で更に課金する。
【００８８】
メディア・プロバイダ７０４は、受信した購入リクエストに含まれるＳＩＤ（Ａ）からＡのメディア送信側を更に識別できる。最後のステップ７：１０において、購入ハンドラ７０６は、ステップ７：５の購入チェック要求に含まれるＳＩＤ（Ａ）から識別されたメディア送信側にユーザによる提示されたメディアの購入に対する報酬を提供する。あるいは、メディア・プロバイダ７０４がメディア送信側に報酬を提供してもよい。
【００８９】
図８は、上記の図７の例に基本的に従って、メディア・オブジェクトを購入できるようにするために購入ハンドラにより実行されるステップを有する手順を示す。従って、メディア・プロバイダにより所有されるメディア・オブジェクトは、メディア送信側により制御されるメディア・センダにより提示され且つ端末ユーザに対して公表されると仮定する。ユーザの端末は、提示されたメディア・オブジェクトを識別するメディアＩＤ、すなわち「ＭＩＤ」及びメディア送信側を識別するセンダＩＤ、すなわち「ＳＩＤ」を少なくとも含むメタデータをメディア・センダから更に取得している。
【００９０】
第１のステップ８００において、少なくともメディアＩＤ及びセンダＩＤを含み且つそれらを示す購入チェック要求は、それ以前にユーザ端末から購入リクエストを受信したメディア・プロバイダから受信される。従って、このステップは図７のステップ７：５に基本的に対応する。その後、次のステップ８０２において、上記の例のステップ７：６と同様に、購入ハンドラは要求された購入が許可され且つ実行可能であるかを判定するためにユーザの信頼性をチェックする。
【００９１】
次のステップ８０４で購入が許可されないと判定される場合、ステップ８０６において、適切な拒否メッセージがメディア・プロバイダに送信されてもよい。購入が許可される場合、更なるステップ８０８において、上記の例のステップ７：７と同様に、購入ハンドラは受信した購入チェック要求内のメディアＩＤからメディア・オブジェクトを識別し、メディア・プロバイダに購入確認メッセージを送信する。それにより、メディア・プロバイダはユーザにメディア・オブジェクトを適宜配信できる。
【００９２】
次のステップ８１０において、購入ハンドラは、購入に対してユーザに適切な方法で課金する。更に、最後のステップ８１２に示すように、購入ハンドラはメディア・プロバイダに支払いを提供し、ステップ８００の購入チェック要求においてセンダＩＤを受信した場合はそれから識別できるメディア送信側に購入に対する報酬を更に提供してもよい。あるいは、メディア送信側への報酬は、ユーザにメディア・オブジェクトを配信した際にメディア・プロバイダにより提供されてもよい。
【００９３】
図９を参照して、端末ユーザがメディア・オブジェクトを購入できるようにする手順の別の例を以下に説明する。本例において、別個の購入ハンドラが使用され且つ上述のＩＤの管理者として動作する場合にそのようなＩＤが処理される方法を特に示す。例えば購入ハンドラは、ユーザにサービスを提供するネットワークオペレータにより制御されてもよい。
【００９４】
従って、ユーザは通信端末９００を操作し、メディア送信側により制御されているメディア・センダ９０２からメディア・プロバイダ９０４により所有されているメディア・オブジェクトの提示を受信するか又は何らかの方法で公表される。図示する購入手順は、以下に説明する方法で購入ハンドラ９０６により制御される。
【００９５】
最初に、ステップ９：１〜９：４により示すように、メディア・センダ９０２及びメディア・プロバイダ９０４は、自身のアイデンティティＳＩＤ及びＭＰＩＤをそれぞれ取得するために購入ハンドラ９０６に登録する。更に、メディア・プロバイダ９０４は、ＭＩＤとして種々のメディア・オブジェクトのアイデンティティを定義し、概略的なステップ９：５において、端末９００のユーザ等の端末ユーザに対してメディア・オブジェクトの１つ以上を提示するようにメディア・センダ９０２に指示する。このステップにおいて、メディア・プロバイダ９０４はメディア・センダ９０２に自身のＭＰＩＤ及び１つ以上のＭＩＤを適宜伝達する。
【００９６】
次のステップ９：６は、メディア・センダがメディア・オブジェクトを提示し且つ対応するＭＩＤ、並びに登録されたＳＩＤ及びＭＰＩＤを含む関連メタデータを送信し、それらが上述の方法で端末９００により受信されることを示す。自身のユーザから購入コマンドを受信した場合、ステップ９：７において、端末９００はメディア・オブジェクトに対する購入リクエストを送信し、これは購入ハンドラ９０６により受信される。購入リクエストは少なくともＭＩＤ及びＳＩＤを含み、オプションでＭＰＩＤ及び／又はメディア・オブジェクトが配信される好適な配信先住所ＤＡを更に含む。あるいは、配信先住所は端末の通信アドレス又は電話番号から導出されてもよく、購入ハンドラ９０６において事前に設定されてもよい。
【００９７】
要求された購入が許可されることをチェックし且つ判定した後、更なるステップ９：８において、購入ハンドラ９０６は配信リクエストをメディア・プロバイダ９０４に送信するか、あるいは図６の例で説明したように関連する配信ハンドラに送信する。配信リクエストはＭＩＤ及びＤＡを含む。しかし、ＤＡがこのステップにおいて不要になるように、配信先住所はメディア・プロバイダ９０４において事前に設定されてもよい。次のステップ９：９において、メディア・プロバイダ９０４は、受信したＭＩＤから所望のメディア・オブジェクトを識別し且つ受信したＤＡ又は事前に設定された配信先住所に従ってそれを配信できる。
【００９８】
更に、ステップ９：１０において、購入ハンドラ９０６は購入に対してユーザに課金する。最後の概略的なステップ９：１１に示すように、購入ハンドラ９０６は、受信したＳＩＤを使用して、ユーザによる提示されたメディア・オブジェクトの購入に対する報酬をメディア送信側に提供し、受信したＭＰＩＤを使用して、ユーザへのメディア・オブジェクトの配信に対する支払いをメディア・プロバイダ９０４に提供する。
【００９９】
上述の実施形態を使用することにより、便利で安全であると共にメディア・オブジェクトの購入を行うためにユーザに求められる労力及び注意が最小限である相対的に単純なメディア・オブジェクトを購入するための機構を得られる。これは、場合によっては「少額決済」と呼ばれる少額のメディア・オブジェクトの購入をサポートするのに特に望ましい場合がある。別の利点は、メディア・プロバイダとメディア送信側との間、並びにオプションで個別の購入ハンドラが使用される場合はその購入ハンドラ又はホームネットワークオペレータとの間でメディア・オブジェクトの購入に対する収入を分配できる点である。上記の実施形態のいくつかにおいて、ホームネットワークオペレータ又は購入ハンドラは、メディアの購入、並びに購入に対する支払い、課金及び報酬を実行する際のユーザとメディア・プロバイダとの間の信頼できる中間的存在として使用可能である。
【０１００】
特定の好適な実施形態を参照して本発明を説明したが、一般に、説明は本発明の概念を示すことを意図するにすぎず、本発明の範囲を限定すると考えられるべきではない。本発明の範囲は、添付の請求項により定義される。
【図１】
2012531660.tif 000003
【図２】
2012531660.tif 000004
【図３】
2012531660.tif 000005
【図４】
2012531660.tif 000006
【図５】
2012531660.tif 000007
【図６】
2012531660.tif 000008
【図７】
2012531660.tif 000009
【図８】
2012531660.tif 000010
【図９】
2012531660.tif 000011
【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
ユーザ端末（２００、５００、７００、９００）を操作するユーザに対して、メディア・プロバイダ（２０４、５０６、７０４、９０４）により所有されるメディア・オブジェクトの購入を可能にする方法であって、
−メディア送信側により制御されるメディア・センダ（２０２、５０２、７０２、９０２）により、前記ユーザに対して前記メディア・オブジェクト又は該メディア・オブジェクトを示す表示を提示するステップと、
−前記メディア・オブジェクトを識別するメディアＩＤ（ＭＩＤ）及び前記メディア送信側を識別するセンダＩＤ（ＳＩＤ）を前記メディア・センダから前記ユーザ端末に伝達するステップと、
−前記ユーザから購入コマンドを受信した場合に前記メディアＩＤ及び前記センダＩＤを参照する購入リクエストを前記ユーザ端末から送信するステップと、
前記購入リクエストに応じて、前記メディアＩＤに基づいて前記ユーザに前記メディア・オブジェクトを、前記メディア・プロバイダから配信するステップとを含み、
前記ユーザによる前記提示されたメディア・オブジェクトの前記購入に対する報酬を前記メディア送信側に提供するために、前記メディア送信側が前記センダＩＤに基づいて識別されることを特徴とする方法。
【請求項２】
前記メディア・プロバイダを識別するメディア・プロバイダＩＤ（ＭＰＩＤ）が前記メディア・センダから前記ユーザ端末に更に伝達されることを特徴とする請求項１に記載の方法。
【請求項３】
前記ＩＤの少なくとも１つは前記メディア・センダのＮＦＣ部（６０２ｂ）から前記ユーザ端末のＮＦＣ部（６００ｂ）に伝達されることを特徴とする請求項１又は２に記載の方法。
【請求項４】
前記メディア・オブジェクト又は前記表示は前記メディア・センダにより再生され、
前記ユーザ端末は、前記ユーザから前記購入コマンドを受信した場合に前記メディア・オブジェクトに関するメディア・クエリを前記メディア・センダに送信することにより前記ＩＤの少なくとも１つを取得することを特徴とする請求項３に記載の方法。
【請求項５】
前記メディア・オブジェクト又は前記表示は前記メディア・センダにより再生され、前記ＩＤの少なくとも１つは前記メディア・センダから前記ユーザ端末に前記メディア・オブジェクトの重畳情報として伝達されることを特徴とする請求項１又は２に記載の方法。
【請求項６】
前記メディア・オブジェクト又は前記表示は、前記メディア・センダによって、再生されるか、又は、提供、紹介、解説、開示若しくは表示されることにより前記ユーザに対して提示されることを特徴とする請求項１から３のいずれか１項に記載の方法。
【請求項７】
前記ユーザにサービスを提供するネットワークオペレータ（２０６、５０４）は、前記購入リクエストを受信し、前記ユーザに前記メディア・オブジェクトを配信するための配信リクエストを前記メディア・プロバイダに送信し、前記メディア・オブジェクトの購入に対して前記ユーザに課金し、前記メディア・オブジェクトの配信に対する支払いを前記メディア・プロバイダに提供し、前記メディア送信側に前記報酬を提供することを特徴とする請求項１から６のいずれか１項に記載の方法。
【請求項８】
前記ネットワークオペレータ（５０７）は、前記ネットワークオペレータが前記メディア・オブジェクトの前記購入に対して前記ユーザに課金し且つ前記メディア・プロバイダに支払いを提供する責任を有し、前記メディア・プロバイダが前記ユーザに前記メディア・オブジェクトを配信することについて、前記メディア・プロバイダ（５０６）と信頼関係を有することを特徴とする請求項７に記載の方法。
【請求項９】
前記ユーザは、前記メディア・オブジェクトの前記購入が許可されるかを判定するために予め定義された購入規則に関してチェックされることを特徴とする請求項１から８のいずれか１項に記載の方法。
【請求項１０】
前記予め定義された購入規則は、現在の端末ユーザのアイデンティティと、現在のユーザの場所と、以前の請求書の支払いと、ユーザのアカウントにおいて利用可能な金額と、前記メディア・オブジェクトの量と、サイズ又は価格と、メディア・オブジェクトの種類と、現在の時刻と、週又は季節と、現在利用可能なネットワーク帯域幅と、のうちの１つ以上に依存することを特徴とする請求項９に記載の方法。
【請求項１１】
前記購入規則は、異なるユーザ又は異なる端末に対して差別化され、前記端末にログオンしたユーザ又は前記端末の性能に依存することを特徴とする請求項１０に記載の方法。
【請求項１２】
前記メディア・プロバイダ又は個別の購入ハンドラ（７０６、９０６）は、前記購入リクエストを受信し、前記メディア・オブジェクトの前記購入が許可されるかを判定するために前記ユーザの信頼性をチェックし、前記メディア送信側に前記報酬を提供することを特徴とする請求項１から６のいずれか１項に記載の方法。
【請求項１３】
メディア送信側により制御され、ユーザ端末（６００、７００）を操作するユーザに対して、メディア・プロバイダ（７０４）により所有されるメディア・オブジェクトの購入を可能にするメディア・センダ（６０２、７０２）における装置であって、
−前記ユーザに対して前記メディア・オブジェクト（Ｍ）又は該メディア・オブジェクトを示す表示を提示するように構成された提示部（６０２ａ）と、
−前記メディア・オブジェクトを識別するメディアＩＤを前記ユーザ端末に伝達し且つ前記メディア送信側を識別するセンダＩＤを前記ユーザ端末に伝達するように構成された伝達手段（６０２ｂ、６０２ａ）とを備え、
前記ユーザ端末は、前記ユーザから購入コマンドを受信した場合に前記メディアＩＤ及び前記センダＩＤを参照する購入リクエストを作成し、前記提示されたメディア・オブジェクトの前記ユーザの購入に対して前記メディア送信側に報酬を提供するために、前記メディア送信側が前記センダＩＤに基づいて識別されることを可能にし、前記購入リクエストに応じて、前記メディアＩＤに基づいて前記メディア・プロバイダによって前記ユーザに前記メディア・オブジェクトが配信されることを可能にすることを特徴とする装置。
【請求項１４】
ＮＦＣリンクを介して前記メディアＩＤ及び前記センダＩＤの少なくとも一方を送信するように構成されたＮＦＣ部（６０２ｂ）を更に備えることを特徴とする請求項１３に記載の装置。
【請求項１５】
前記ＮＦＣ部は、前記ユーザ端末からの前記メディア・オブジェクトに関するメディア・クエリに応じて前記メディアＩＤ及び前記センダＩＤの少なくとも一方を送信するように更に構成されることを特徴とする請求項１４に記載の装置。
【請求項１６】
前記提示部は、前記メディア・オブジェクトの少なくとも一部を再生し且つ前記メディア・オブジェクトの当該再生部分の重畳情報として前記ユーザ端末に前記メディアＩＤ及び前記センダＩＤの少なくとも一方を伝達するように更に構成されることを特徴とする請求項１３又は１４に記載の装置。
【請求項１７】
前記伝達手段は、前記ユーザ端末に前記メディア・プロバイダを識別するメディア・プロバイダＩＤを伝達するように更に構成されることを特徴とする請求項１３から１６のいずれか１項に記載の装置。
【請求項１８】
メディア・プロバイダにより所有されるメディア・オブジェクト（Ｍ）又は該メディア・オブジェクトを示す表示がメディア送信側により制御されるメディア・センダ（６０２）によりユーザに対して提示され、ユーザ端末（６００）を操作するユーザに対して、前記メディア・オブジェクトの購入を可能にする前記ユーザ端末における装置であって、
−前記メディア・オブジェクトを購入するための入力コマンド（ＩＣ）を前記ユーザから受信するように構成された入力部（６００ａ）と、
−前記メディア・オブジェクトを識別するメディアＩＤ及び前記メディア・センダを識別するセンダＩＤを前記メディア・センダから取得する取得手段（６００ｂ）と、
−前記入力コマンドを受信した場合に前記取得したメディアＩＤ及び前記取得したセンダＩＤを参照する購入リクエスト（Ｒ（ＩＤ：ｓ））を作成するように構成された購入リクエスタ（６００ｃ）とを備え、
前記メディア・プロバイダは前記購入リクエストに応じて前記メディアＩＤに基づいて前記メディア・オブジェクトを配信することを可能にし、
前記ユーザによる前記メディア・オブジェクトの前記購入に対して前記メディア送信側に報酬を提供するために、前記センダＩＤに基づいて前記メディア送信側の識別が可能とされることを特徴とする装置。
【請求項１９】
前記取得手段は、ＮＦＣリンクを介して前記メディア・センダから前記メディアＩＤ及び前記センダＩＤを受信するように構成されたＮＦＣ部（６００ｂ）を備えることを特徴とする請求項１８に記載の装置。
【請求項２０】
前記メディア・オブジェクト又は前記表示は、前記メディア・センダにより再生され、
前記ＮＦＣ部は、前記メディア・オブジェクトの再生中に前記メディア・センダから前記メディアＩＤ及び前記センダＩＤを受信するように更に構成されることを特徴とする請求項１９に記載の装置。
【請求項２１】
前記ＮＦＣ部は、前記ユーザから前記入力コマンドを受信した場合に前記メディア・センダに前記メディア・オブジェクトに関するメディア・クエリを送信し且つ前記メディア・クエリに応じて前記メディアＩＤ及び前記センダＩＤを受信するように更に構成されることを特徴とする請求項１９に記載の装置。
【請求項２２】
前記メディア・オブジェクト又は前記表示は、前記メディア・センダにより再生され、前記取得手段は前記再生されたメディア・オブジェクト又は前記表示の重畳情報として前記メディアＩＤ及び前記センダＩＤを受信するように更に構成されることを特徴とする請求項１８から２０のいずれか１項に記載の装置。
【請求項２３】
前記購入リクエスタ（６００ｃ）は、前記ユーザにサービスを提供するネットワークオペレータ（２０６、５０４）、前記メディア・プロバイダ又は別個の購入ハンドラに前記購入リクエストを送信するように更に構成されることを特徴とする請求項１８から２２のいずれか１項に記載の装置。
【請求項２４】
メディア・プロバイダにより所有されるメディア・オブジェクト又は該メディア・オブジェクトを示す表示がメディア送信側により制御されるメディア・センダ（６０２）によりユーザ端末（６００）を操作するユーザに対して提示される場合に前記ユーザに対して、前記メディア・オブジェクトの購入を可能にするように構成された購入制御部（６０４）における装置であって、
−前記メディア・オブジェクトを識別するメディアＩＤ及び前記メディア送信側を識別するセンダＩＤを前記メディア・センダから取得した前記端末から前記メディアＩＤ及び前記センダＩＤを参照する購入リクエストを受信するように構成された購入マネージャ（６０４ａ）と、
−前記購入リクエストに応じて、前記メディアＩＤに基づいて前記メディア・プロバイダによって前記メディア・オブジェクトが前記ユーザに配信されるように、前記メディア・プロバイダ又は関連する別個の配信ハンドラ（６０６）に前記メディアＩＤを示す配信リクエスト（Ｄ）を送信するように構成された配信リクエスタ（６０４ｃ）とを備え、
前記購入マネージャ（６０４ａ）は、前記センダＩＤに基づいて前記メディア送信側を識別し且つ前記ユーザによる前記メディア・オブジェクトの前記購入に対する報酬を前記メディア送信側に提供するように更に構成されることを特徴とする装置。
【請求項２５】
前記購入マネージャは、前記メディア・オブジェクトの前記購入が許可されるかを判定するために予め定義された購入規則に関して前記ユーザをチェックするように更に構成されることを特徴とする請求項２４に記載の装置。
【請求項２６】
前記予め定義された購入規則は、現在の端末ユーザのアイデンティティと、現在のユーザの場所と、以前の請求書の支払いと、ユーザのアカウントにおいて利用可能な金額と、前記メディア・オブジェクトの量と、サイズ又は価格と、メディア・オブジェクトの種類と、現在の時刻と、週又は季節と、現在利用可能なネットワーク帯域幅と、のうちの１つ以上に依存することを特徴とする請求項２５に記載の装置。
【請求項２７】
前記購入規則は、異なるユーザ又は端末に対して差別化され、前記端末にログオンしたユーザ又は前記端末の性能に依存することを特徴とする請求項２６に記載の装置。
【請求項２８】
前記購入マネージャは、前記ユーザによる前記メディア・オブジェクトの前記購入に対する支払いを前記メディア・プロバイダに提供し且つ前記購入に対して前記ユーザに課金するように更に構成されることを特徴とする請求項２４から２７のいずれか１項に記載の装置。
【請求項２９】
前記購入制御部は、前記メディア・プロバイダ、前記ユーザにサービスを提供するネットワークオペレータ及び別個の購入ハンドラのいずれかに配置されるか又は制御されることを特徴とする請求項２４から２８のいずれか１項に記載の装置。
【請求項３０】
メディア・プロバイダ（２０４、７０４）により所有されるメディア・オブジェクト又は該メディア・オブジェクトを示す表示がメディア送信側により制御されるメディア・センダ（２０２、７０２）によりユーザ端末（２００、７００）を操作するユーザに対して提示される場合に、前記ユーザに対して、前記メディア・オブジェクトの購入を可能にする前記メディア・プロバイダにおける方法であって、
−前記メディア・オブジェクトを識別するメディアＩＤ及び前記メディア・センダを識別するセンダＩＤを前記メディア・センダから取得した（２：２、７：２）前記ユーザ端末から前記メディアＩＤ及び前記センダＩＤを参照する購入リクエストを受信するステップ（２：４、７：４）と、
−前記購入リクエストに応じて、前記メディアＩＤに基づいて前記ユーザに前記メディア・オブジェクトを配信するステップ（２：７、７：８）と、
−前記センダＩＤに基づいて前記メディア送信側を識別し且つ前記ユーザによる前記メディア・オブジェクトの前記購入に対する報酬を前記メディア送信側に提供するステップ（２：９、７：１０）とを含むことを特徴とする方法。
【請求項３１】
前記受信した購入リクエストは、好適な配信先住所（ＤＡ）を更に示し、
前記メディア・オブジェクトは、前記好適な配信先住所に配信されることを特徴とする請求項３０に記載の方法。
【国際調査報告】
2012531660.tif 000012
2012531660.tif 000013
2012531660.tif 000014
2012531660.tif 000015